(57)【要約】【課題】温度環境の変化の影響を受けることなく、ガス濃度を的確に検出する。【解決手段】コリメートレンズ１２により発光部筐体１７内に調整用酸素ガスを気密保持し且つ集光レンズ２１により受光部筐体２７内に調整用酸素ガスを気密保持する。測定対象の酸素ガスの吸収波長を走査するようにレーザ素子４１の発光波長を周波数変調させ、測定対象ガスを透過した透過光を、集光レンズ２１を介して光検出部２２で検出する。この光検出部２２の検出信号において発光波長の変調信号の２倍周波数成分からなる信号を検出し、この２倍周波数成分信号において高側及び低側ピーク値を検索する。これらピーク値に基づきレーザ素子４１及び光検出部２２間の酸素濃度を演算し、ここから、予め検出しておいた、発光部筐体１７及び受光部筐体２７内の調整用酸素ガスの濃度を減算し、これを測定対象ガスの濃度とする。【選択図】          図７
2010032422.tif 000002
【特許請求の範囲】
【請求項１】
レーザ素子を有し変調信号で周波数変調されたレーザ光を出射する光源部と、
前記光源部からの出射光をコリメートする第１の光学系と、
前記第１の光学系からの出射光が、測定対象の酸素ガスが存在する測定空間を介して伝播された透過光を集光する第２の光学系と、
前記第２の光学系により集光された光を受光する受光素子と、
前記受光素子の出力信号に基づき酸素ガス濃度を演算する信号処理手段と、を有し、
前記レーザ素子と前記第１の光学系との間及び前記第２の光学系と前記受光素子との間のうちの少なくとも一方に、一定濃度に維持される調整用酸素ガスが介在するレーザ式ガス分析計であって、
前記光源部は、
酸素ガスの吸収波長を走査するように前記レーザ素子の発光波長を可変とする波長走査駆動信号と前記発光波長を変調するための高周波変調信号とを合成してレーザ駆動信号として出力するレーザ駆動信号生成部と、
前記レーザ駆動信号生成部から出力された前記レーザ駆動信号を電流に変換し前記レーザ素子に供給する電流制御部と、
前記レーザ素子の温度を安定化させる温度安定化手段と、を備え、
前記信号処理手段は、
前記受光素子の出力信号から、前記光源部における前記変調信号の２倍周波数成分の振幅からなる２倍周波数成分信号を検出する２倍周波数成分信号検出手段と、
前記２倍周波数成分信号において高側及び低側のピーク値を検索するピーク値検索手段と、
前記ピーク値検索手段で検索した高側及び低側のピーク値に基づき酸素ガス濃度を演算する濃度演算手段と、
前記濃度演算手段で演算された濃度演算値から前記調整用酸素ガスの濃度を差し引いて前記測定対象の酸素ガスの濃度を演算する酸素ガス濃度演算手段と、を備えることを特徴とするレーザ式ガス分析計。
【請求項２】
前記レーザ駆動信号に同期したトリガ信号の発生タイミングを基準とした、前記ピーク値検索手段で検索した高側及び低側のピーク値の何れか一方のピーク値の発生タイミングを検出し、前記ピーク値の発生タイミングが予め設定したタイミングと一致するように前記温度安定化手段の温度目標値を補正する補正手段を備えることを特徴とする請求項１記載のレーザ式ガス分析計。
【請求項３】
前記第１の光学系は前記レーザ素子の出射光を透光する透光性部材を少なくとも有し、
前記レーザ素子及び第１の光学系は、一端が開口された中空の柱状筐体に収納され且つ前記透光性部材は、前記透光性部材により前記柱状筐体内に密封空間を形成するように固定され、
前記密封空間内には大気が封入されることを特徴とする請求項１又は請求項２記載のレーザ式ガス分析計。
【請求項４】
前記第２の光学系は前記透過光を前記光検出部に透光する透光性部材を少なくとも有し、
前記第２の光学系及び前記光検出部は、一端が開口された中空の柱状筐体に収納され且つ前記透光性部材は、前記透光性部材により前記柱状筐体内に密封空間を形成するように固定され、
前記密封空間内には大気が封入されることを特徴とする請求項１から請求項３の何れか１項に記載のレーザ式ガス分析計。
【請求項５】
レーザ素子と前記レーザ素子の出射光をコリメートする第１の光学系との間及び、第１の光学系からの出射光が、測定対象の酸素ガスが存在する測定空間を介して伝播された透過光を集光する第２の光学系と前記第２の光学系により集光された光を受光する受光素子との間の少なくとも何れか一方に、一定濃度に維持される調整用酸素ガスを介在させて、前記受光素子の出力信号に基づき前記測定対象の酸素ガスの濃度を測定する酸素ガス濃度測定方法であって、
変調信号で周波数変調され且つ酸素ガスの吸収波長を走査するように発光波長が変化するレーザ光を前記レーザ素子から出射させるステップと、
前記レーザ素子の温度を安定化させるステップと、
前記受光素子の出力信号から前記変調信号の２倍周波数成分の振幅からなる２倍周波数成分信号を検出するステップと、
前記２倍周波数成分信号において高側及び低側のピーク値を検索するステップと、
前記高側及び低側のピーク値に基づき酸素ガス濃度を演算するステップと、
前記酸素ガス濃度から前記調整用酸素ガスの濃度を差し引いて前記測定対象の酸素ガスの濃度を演算するステップと、を備えることを特徴とする酸素ガス濃度測定方法。
【発明の詳細な説明】
【技術分野】
【０００１】
本発明は、煙道等の測定空間内に存在する測定対象の酸素ガスの濃度を、レーザ光により測定するレーザ式ガス分析計及び酸素ガス濃度測定方法に関する。
【背景技術】
【０００２】
気体状のガス分子にはそれぞれ固有の光吸収スペクトラムがあることが知られている。例えば、図１１は、ＮＨ3（アンモニア）ガスの吸収スペクトルの一例であって、横軸は波長〔μｍ〕、縦軸は吸収強度である。
レーザ式ガス分析計は、レーザ光の特定波長の吸収量が測定対象ガスの濃度に比例することを利用した分析計であり、ガス濃度の測定方法としては、２波長差分方式及び周波数変調方式とに大別される。２波長差分方式では、半導体レーザの発振周波数はＴＨｚオーダの信号であることから、複雑な信号処理を行うことができないのに対し、周波数変調方式では、数ｋＨｚのベースバンド領域で信号処理を行うことができるという利点がある。
【０００３】
本発明は、周波数変調方式を用いたレーザ式ガス分析計に関するものである。
まず、周波数変調方式を用いた従来のレーザ式ガス分析計の測定原理を説明する。
図１２は、周波数変調方式の原理図を示したものであって、例えば特許文献１に記載されているものである。周波数変調方式のレーザ式ガス分析計では、中心周波数ｆｃ、変調周波数ｆｍで半導体レーザの出射光を周波数変調し、測定対象のガスに照射する。ここで、周波数変調とは、半導体レーザに供給するドライブ電流の波形を正弦波状にすることである。
【０００４】
半導体レーザは、図１３（ａ）、（ｂ）に示すように、ドライブ電流や温度によって発光波長が変化するので、周波数変調を行うことにより、ドライブ電流の変調に伴って発光波長が変調されることになる。
図１２に示したように、ガスの吸収線は変調周波数に対してほぼ２次関数となっているので、この吸収線が弁別器の役割を果たし、受光部では、変調周波数ｆｍの２倍の周波数の信号（２倍周波数信号）を得ることができる。ここで変調周波数ｆｍは任意の周波数でよいため、例えば、変調周波数ｆｍを数ｋＨｚ程度に選ぶと、デジタル信号処理装置または汎用のプロセッサを用いて、２倍周波数信号の抽出などの高度な信号処理を行うことが可能となる。
【０００５】
この周波数変調方式では、半導体レーザの種類の中でも、分布帰還型半導体レーザを用いて単一波長のレーザ光のみを出射し、ガス濃度を測定する場合が多い。この場合、半導体レーザが発光するスペクトル線幅の方が、測定対象ガスの吸収線幅よりも小さいため、半導体レーザの発光素子を測定対象ガスの吸収波長に合わせる必要性が生じる。
その方法として、測定対象ガスと同じガス成分を予め封入した参照ガスセルを用いて、半導体レーザの発光波長を温度によって制御する方法なども提案されている（例えば、特許文献２参照）。
【特許文献１】特開平７−１５１６８１号公報
【特許文献２】特開２００１−２３５４１８号公報
【発明の開示】
【発明が解決しようとする課題】
【０００６】
しかしながら、周波数変調方式のレーザ式ガス分析計では、前述のように、レーザの発光波長を測定対象ガスの吸収波長に合わせる必要がある。
そのためには、測定対象ガスと同じガスを封入した参照ガスセルが必要であるが、参照ガスセルへの封入が不可能または困難なガスについては、その濃度の検出が困難であるという問題がある。
特に、測定対象ガスの成分が環境によって変動したり、測定対象ガスと参照ガスセルに封入されたガスとで温度が異なったりした場合には、測定対象ガスと参照ガスセルに封入されたガスの成分や吸収波長を完全に一致させることが困難となり、十分な計測精度を確保することが困難となる可能性がある。
そこで、この発明は、上記従来の未解決の問題点に着目してなされたものであり、温度環境の変化の影響を受けることなく、酸素ガス濃度を的確に検出することの可能なレーザ式ガス分析計及び酸素ガス濃度測定方法を提供することを目的としている。
【課題を解決するための手段】
【０００７】
上記目的を達成するために、本発明の請求項１に係るレーザ式ガス分析計は、レーザ素子を有し変調信号で周波数変調されたレーザ光を出射する光源部と、前記光源部からの出射光をコリメートする第１の光学系と、前記第１の光学系からの出射光が、測定対象の酸素ガスが存在する測定空間を介して伝播された透過光を集光する第２の光学系と、前記第２の光学系により集光された光を受光する受光素子と、前記受光素子の出力信号に基づき酸素ガス濃度を演算する信号処理手段と、を有し、前記レーザ素子と前記第１の光学系との間及び前記第２の光学系と前記受光素子との間のうちの少なくとも一方に、一定濃度に維持される調整用酸素ガスが介在するレーザ式ガス分析計であって、前記光源部は、酸素ガスの吸収波長を走査するように前記レーザ素子の発光波長を可変とする波長走査駆動信号と前記発光波長を変調するための高周波変調信号とを合成してレーザ駆動信号として出力するレーザ駆動信号生成部と、前記レーザ駆動信号生成部から出力された前記レーザ駆動信号を電流に変換し前記レーザ素子に供給する電流制御部と、前記レーザ素子の温度を安定化させる温度安定化手段と、を備え、前記信号処理手段は、前記受光素子の出力信号から、前記光源部における前記変調信号の２倍周波数成分の振幅からなる２倍周波数成分信号を検出する２倍周波数成分信号検出手段と、前記２倍周波数成分信号において高側及び低側のピーク値を検索するピーク値検索手段と、前記ピーク値検索手段で検索した高側及び低側のピーク値に基づき酸素ガス濃度を演算する濃度演算手段と、前記濃度演算手段で演算された濃度演算値から前記調整用酸素ガスの濃度を差し引いて前記測定対象の酸素ガスの濃度を演算する酸素ガス濃度演算手段と、を備えることを特徴としている。
【０００８】
また、請求項２に係るレーザ式ガス分析計は、前記レーザ駆動信号に同期したトリガ信号の発生タイミングを基準とした、前記ピーク値検索手段で検索した高側及び低側のピーク値の何れか一方のピーク値の発生タイミングを検出し、前記ピーク値の発生タイミングが予め設定したタイミングと一致するように前記温度安定化手段の温度目標値を補正する補正手段を備えることを特徴としている。
【０００９】
また、請求項３に係るレーザ式ガス分析計は、前記第１の光学系は前記レーザ素子の出射光を透光する透光性部材を少なくとも有し、前記レーザ素子及び第１の光学系は、一端が開口された中空の柱状筐体に収納され且つ前記透光性部材は、前記透光性部材により前記柱状筐体内に密封空間を形成するように固定され、前記密封空間内には大気が封入されることを特徴としている。
【００１０】
また、請求項４に係るレーザ式ガス分析計は、前記第２の光学系は前記透過光を前記光検出部に透光する透光性部材を少なくとも有し、前記第２の光学系及び前記光検出部は、一端が開口された中空の柱状筐体に収納され且つ前記透光性部材は、前記透光性部材により前記柱状筐体内に密封空間を形成するように固定され、前記密封空間内には大気が封入されることを特徴としている。
【００１１】
さらに、本発明の請求項５に係る酸素ガス濃度測定方法は、レーザ素子と前記レーザ素子の出射光をコリメートする第１の光学系との間及び、第１の光学系からの出射光が、測定対象の酸素ガスが存在する測定空間を介して伝播された透過光を集光する第２の光学系と前記第２の光学系により集光された光を受光する受光素子との間の少なくとも何れか一方に、一定濃度に維持される調整用酸素ガスを介在させて、前記受光素子の出力信号に基づき前記測定対象の酸素ガスの濃度を測定する酸素ガス濃度測定方法であって、変調信号で周波数変調され且つ酸素ガスの吸収波長を走査するように発光波長が変化するレーザ光を前記レーザ素子から出射させるステップと、前記レーザ素子の温度を安定化させるステップと、前記受光素子の出力信号から前記変調信号の２倍周波数成分の振幅からなる２倍周波数成分信号を検出するステップと、前記２倍周波数成分信号において高側及び低側のピーク値を検索するステップと、前記高側及び低側のピーク値に基づき酸素ガス濃度を演算するステップと、前記酸素ガス濃度から前記調整用酸素ガスの濃度を差し引いて前記測定対象の酸素ガスの濃度を演算するステップと、を備えることを特徴としている。
【発明の効果】
【００１２】
本発明によれば、測定空間内に測定対象の酸素ガスが存在しない場合であっても、レーザ素子と第１の光学系との間及び第２の光学系と光検出部との間の少なくとも何れか一方に開示する調整用酸素ガスにより、レーザ光が吸収されるため、２倍周波数成分信号において調整用酸素ガスの濃度に応じたピークが現れる。ここで、温度環境の変化に伴って、２倍周波数成分信号においてピークの現れるタイミングはずれるが、測定空間内に測定対象の酸素ガスが存在するか否かに関わらず２倍周波数成分信号においてピークが現れ、このピーク値は、レーザ素子と光検出部との間の光路に介在する酸素ガスの濃度に応じた値を示す。このため、このピーク値をもとに濃度演算を行い、そこから、調整用酸素ガスの濃度を差し引くことによって、測定対象の酸素ガスの濃度を的確に検出することができる。
【発明を実施するための最良の形態】
【００１３】
以下、本発明の実施の形態を説明する。
図１は、本発明の第１の実施の形態におけるレーザ式ガス分析計の概略構成を示す断面図である。このレーザ式ガス分析計は、酸素ガスを測定対象とするものであって、図１に示すように、発光部１と受光部２とを備える。
発光部１は、レーザ素子が搭載された光源部１１と、この光源部１１から出射されたレーザ光を平行ビームに変換するコリメートレンズ１２とを備える。なお、レーザ素子としては、半導体レーザを用いることができる。
【００１４】
受光部２は、測定対象ガスを透過したレーザ光を集光する集光レンズ２１、集光レンズ２１で集光されたレーザ光を検出する光検出部２２、及び光検出部２２で検出されたレーザ光から基本波成分の２倍周波数成分を抽出しこれに基づき測定対象ガスの濃度を演算する信号処理部２３が設けられている。光検出部２２としては例えばフォドタイオードを用いることができ、後述のレーザ素子４１の発光波長に感度をもつ受光素子が用いられる。
【００１５】
ここで、発光部１の光源部１１及びコリメートレンズ１２は、一端が開口された略円筒状の発光部筐体１７に収納され、集光レンズ２１、光検出部２２及び信号処理部２３は、一端が開口された略円筒状の受光部筐体２７に収納される。
そして、煙道等の測定対象ガスが流れる配管の隔壁３１ａ、３１ｂには、フランジ３２ａ、３２ｂが溶接等の方法により対向して固定され、発光部筐体１７の開口部側が一方のフランジ３１ａに取り付けられ、受光部筐体２７の開口部側が他方のフランジ３２ｂに取り付けられている。
【００１６】
このとき、光源部１１、コリメートレンズ１２、集光レンズ２１及び光検出部２２は、これらの光軸が一致するように配置され、光源部１１から出射されたレーザ光が、コリメートレンズ１２により平行光に変換された後、隔壁３１ａ、３１ｂ間の測定対象ガスを透過して、集光レンズ２１に入射され、集光レンズ２１により光検出部２２上に集光されるようになっている。
また、コリメートレンズ１２は、発光部筐体１７の開口端近傍に接着剤等のシーリング材により固定され、煙道側から煙やガス等が流入しないように発光部筐体１７の内周に密着固定されている。このコリメートレンズ１２の固定は大気環境中で行われ、コリメートレンズ２により、発光部筐体１７内に大気濃度レベルの酸素が気密保持される。
【００１７】
同様に、集光レンズ２１は、受光部筐体２７の開口端近傍に接着剤等のシーリング材により固定され、煙道側から煙やガス等が流入しないように受光部筐体２７の内周に密着固定されている。この集光レンズ２１の固定は大気環境中で行われ、集光レンズ２１により、受光部筐体２７内に大気濃度レベルの酸素が気密保持される。以後、発光部筐体１７及び受光部筐体２７に封入された大気濃度レベルの酸素を調整用酸素ガスともいう。
なお、コリメートレンズ１２及び集光レンズ２１は接着剤により気密に固定する場合に限るものではなく、例えば、ゴム部材等のシーリング材を用いてもよく、要は、コリメートレンズ１２及び集光レンズ２１によって、発光部筐体１７及び受光部筐体２７内に調整用酸素ガスを気密に保持することができれば、どのような固定方法を用いてもよい。
【００１８】
次に、光源部１１について説明する。
図２は、光源部１１の構成を示すブロック図である。
図２において、光源部１１は、レーザ素子４１と、レーザ素子４１を駆動するためのレーザ駆動信号を生成するレーザ駆動信号生成部４２と、レーザ駆動信号生成部４２で生成したレーザ駆動信号を電流に変換し、これをレーザ素子４１に供給する電流制御部４３と、を備える。
【００１９】
レーザ駆動信号生成部４２は、測定対象ガスの吸収波長を走査するようにレーザ素子４１の発光波長を可変とする波長走査駆動信号発生部４２ａと、測定対象ガスの吸収波長を検出するために、例えば１０ｋＨｚ程度の正弦波で波長を周波数変調するための高調波変調信号発生部４２ｂと、合成部４２ｃとを備え、これら波長走査駆動信号発生部４２ａ及び高調波変調信号発生部４２ｂで発生された信号が合成部４２ｃで合成されてレーザ駆動信号が生成される。
【００２０】
波長走査駆動信号発生部４２ａから出力される波長走査駆動信号Ｉ１は図２中に示すように、一定周期で繰り返されるほぼ台形波状の信号であって、波長走査駆動信号Ｉ１の信号値が零よりも大きな一定値に保たれた部分ｉ１と、波長走査駆動信号Ｉ１の信号値がｉ１部分よりも高い状態から直線的に増加する部分ｉ２と、波長走査駆動信号Ｉ１の信号値が零となる部分ｉ３とから構成される。波長走査駆動信号Ｉ１の部分ｉ１は、吸収波長は走査しないがレーザ素子４１は発光させておくオフセット部分であって、レーザ素子４１の発光を安定化させるためにレーザ素子４１のスレッショルドカレント以上となる値に設定される。波長走査駆動信号Ｉ１の部分ｉ２は、レーザ素子４１に供給される電流の大きさを直線的に替えることにより、レーザ素子４１の発光波長を徐々にずらすための部分である。
【００２１】
ここで、測定対象ガスである酸素ガスの吸収スペクトルは、図３に示す特性を有する。なお、図３において横軸は波長〔μｍ〕、縦軸は吸収強度である。
したがって、波長走査駆動信号Ｉ１の部分ｉ２は、光吸収強度が比較的高い波長を中心として、例えば、０．２〔ｎｍ〕程度の線幅を走査可能な値に設定される。波長走査駆動信号Ｉ１の部分ｉ３は、駆動電流をほぼ零とする部分である。なお、波長走査駆動信号発生部４２ａは、波長走査駆動信号Ｉ１を発生すると共に、波長走査駆動信号Ｉ１の１周期の開始時点に同期したパルス状のトリガ信号Ｉ３を発生し、これを後述の演算処理部５５に出力する。
【００２２】
そして、波長走査駆動信号発生部４２ａからの波長走査駆動信号Ｉ１と、高調波変調信号発生部４２ｂからの高周波変調信号Ｉ２とが合成されてなるレーザ駆動信号に応じてレーザ素子４１が駆動されることにより、レーザ素子４１からは、図４に示すように、酸素ガスの吸収波長帯を含むように周波数変調されたレーザ光が出射されることになる。また、周期信号である波長走査駆動信号Ｉ１の１周期の開始時点に同期したタイミングでトリガ信号Ｉ３が出力されることになる。
【００２３】
さらに、光源部１１は、レーザ素子４１に近接して配置される、温度検出素子としてのサーミスタ４４と、このサーミスタ４４に近接して配置されたペルチェ素子４５と、ペルチェ素子４５を制御する温度制御部４６とを備え、レーザ素子４１とペルチェ素子４５との間で温度が同等となるように配置されている。温度制御部４６は、サーミスタ４４の抵抗値が一定値となるようにペルチェ素子４５を制御し、これにより結果的に、レーザ素子４１の温度を安定化するようになっている。
【００２４】
次に、信号処理部２３について説明する。
図５は、信号処理部２３の構成を示すブロック図である。
図５に示すように信号処理部２３は、フォトダイオード等からなる光検出部２２からの受光光量に応じた出力電流を電圧に変換するＩＶ変換器５１と、前述の高周波変調信号Ｉ２の２倍の周波数の信号である２倍周波数信号を発生する発振器５２と、発振器５２からの２倍周波数信号とＩＶ変換器５１からの電圧信号とを入力し、電圧信号から高周波変調信号Ｉ２の２倍の周波数成分の振幅のみを抽出しこれを２倍周波数成分信号として出力する同期検波回路５３と、同期検波回路５３の出力からノイズを除去するためのフィルタ５４と、このフィルタ５４でのフィルタ処理後の２倍周波数成分信号に基づき濃度演算を行う演算処理部５５と、を備える。
演算処理部５５は、マイクロコンピュータ等の演算処理装置で構成され、発光部１からのトリガ信号Ｉ３と、フィルタ５４からの２倍周波数成分信号とを入力し、これらに基づき測定対象ガスの濃度を演算する。
【００２５】
次に、測定対象ガスの濃度測定方法を説明する。
まず、レーザ素子４１の温度をサーミスタ４４により検出し、図２に示した波長走査駆動信号Ｉ１の直線的に増加する部分ｉ２の中心部分で、測定対象ガスである酸素ガス濃度を測定できるように、すなわち所定の吸収特性が得られるように、温度制御部４６により、ペルチェ素子４５への通電を制御してレーザ素子４１の温度を調整する。
その後に、レーザ素子４１を駆動し、図４に示すレーザ駆動信号に応じたレーザ光を出射させ、隔壁３１ａ、３１ｂ間を透過したレーザ光を集光し、これを光検出部２２に入射させる。
【００２６】
そして、この光検出部２２に入射された光量に応じた電圧信号から、２倍周波数成分信号を抽出する。この２倍周波数成分信号の出力波形において、ピーク値は酸素ガスの濃度に応じた値を表すことから、このピーク値から酸素濃度を演算する。
ここで、前述のように、発光部筐体１７内及び受光部筐体２７内には、大気濃度レベルの酸素ガスからなる調整用酸素ガスが封入されている。また、レーザ素子４１から出射されたレーザ光は、コリメートレンズ１２を介して隔壁３１ａ、３１ｂ間に出射され、集光レンズ２１から光検出部２２に入射されるため、レーザ光は、隔壁３１ａ、３１ｂ間に存在する測定対象ガスだけでなく、発光部筐体１７内の調整用酸素ガスによって吸収されると共に、受光部筐体２７内の調整用酸素ガスによっても吸収されることになる。
【００２７】
したがって、隔壁３１ａ、３１ｂ間に測定対象の酸素ガスが存在しない状態で、濃度測定を行った場合であっても、同期検波回路５３によって抽出された２倍周波数成分信号の出力波形は、図６に破線Ｌ１で示すようにピークを有する波形となり、この波形のピーク値は発光部筐体１７及び受光部筐体２７内に封入された調整用酸素ガスの酸素濃度に応じた値を示すことになる。
【００２８】
逆に、隔壁３１ａ、３１ｂ間に測定対象の酸素ガスが存在する状態で、濃度測定を行った場合には、同期検波回路５３によって抽出された２倍周波数成分信号の出力波形は、図６に実線Ｌ２で示すようにピークを有する波形となり、この波形のピーク値は発光部筐体１７及び受光部筐体２７内に封入された調整用酸素ガスの酸素濃度と、隔壁３１ａ、３１ｂ間の測定対象の酸素ガスの濃度との和に応じた値を示すことになる。
したがって、発光部筐体１７及び受光部筐体２７内に封入された調整用酸素ガスの酸素濃度と、隔壁３１ａ、３１ｂ間の測定対象の酸素ガスの濃度との和から、発光部筐体１７及び受光部筐体２７内に封入された調整用酸素ガスの酸素濃度を差し引いた値が、隔壁３１ａ、３１ｂ間の測定対象の酸素ガスの濃度を表すことになる。
【００２９】
次に、上記第１の実施の形態の動作を説明する。
まず、予め発光部筐体１７及び受光部筐体２７内に封入された調整用酸素ガスの酸素濃度を測定する。この濃度測定は、例えば、レーザ式ガス分析計の出荷時、或いは、レーザ式ガス分析計を測定対象ガスが流れる煙管等に取り付けたとき、或いは、測定対象ガスが流れていないとき等に測定する。そして、これを調整用酸素ガス濃度として、演算処理部５５の図示しない記憶領域に記憶しておく。
【００３０】
このようにして、発光部筐体１７及び受光部筐体２７の調整用酸素ガス濃度を検出した状態で、測定対象ガスが流れる煙管等に対する、測定対象の酸素ガスの濃度計測を開始する。
発光部１では、図４に示すレーザ駆動信号に応じたレーザ光を発光させる。受光部２ではこのレーザ光を受光し、同期検波回路５３によって２倍周波数成分信号を抽出し、その出力波形をフィルタ処理して演算処理部５５に出力する。
【００３１】
演算処理部５５では、図７のフローチャートに示すように、波長走査駆動信号発生部４２ａからトリガ信号Ｉ３を入力したかどうかを判断し（ステップＳ１）、トリガ信号Ｉ３を入力したときステップＳ２に移行し、このトリガ信号Ｉ３を受信した時点からの経過時間を計測する。
そして、トリガ信号Ｉ３を受信した時点からの経過時間が、予め設定した待機時間に達したとき、この待機時間が経過した時点から予め設定した計測時間が経過するまでの間を計測期間とし、この計測期間における、フィルタ５４の出力信号、すなわち２倍周波数成分信号の信号値を順次比較する等により、２倍周波数成分信号の信号値が最大となるときの信号値である高側ピーク値と２倍周波数成分信号の信号値が最小となるときの信号値である低側ピーク値とを検索する。
【００３２】
前記待機時間は、例えば、トリガ信号が入力された時点から、レーザ駆動信号の波長走査駆動信号Ｉ１の成分が一定値から直線的に増加し始める時点までの所要時間、つまり、図２において波長走査駆動信号Ｉ１の部分ｉ１の継続期間に設定される。
また、前記計測時間はレーザ駆動信号の波長走査駆動信号Ｉ１の成分が直線的に増加し始めた時点からゼロとなる時点までの所要時間、すなわち、図２において波長走査駆動信号Ｉ１の部分ｉ２の継続期間に設定され、つまり、レーザ駆動信号の波長走査駆動信号Ｉ１の成分が、光吸収強度が比較的高い波長を中心として、０．２〔ｎｍ〕程度の線幅を走査する期間に設定される。
【００３３】
続いて、これら高側ピーク値及び低側ピーク値から濃度を計測する。例えば、高側ピーク値と低側ピーク値の差分値を、酸素ガスの濃度相当値として測定しこれを計測濃度とする（ステップＳ３）。
そして、ステップＳ３で算出される計測濃度は、前述のように、発光部筐体１７及び受光部筐体２７に封入された調整用酸素ガス濃度と、煙管内の測定対象ガスの濃度との和であることから、ステップＳ３で計測した計測濃度から、予め所定の記憶領域に記憶している調整用酸素ガス濃度を減算し、これを、煙管内を流れる測定対象ガスの濃度とする（ステップＳ４）。
【００３４】
以上の処理を、トリガ信号Ｉ３が入力される毎に行うことによって、レーザ駆動信号の１周期毎に煙管内を流れる測定対象ガスの濃度が測定されることになる。
このように、上記第１の実施の形態においては、煙管内における測定対象ガスの存在の有無に関わらず、２倍周波数成分信号においてピークを得ることができる。このため、計測期間の２倍周波数成分信号においてピーク値を検出して濃度を演算し、ここから調整用酸素ガス濃度を差し引くことにより、測定対象ガスの濃度を検出することができる。
【００３５】
また、測定対象ガスの存在の有無に関わらず、２倍周波数成分信号においてピーク値を得ることができる。
ここで、発光部筐体１７及び受光部筐体２７に調整用酸素ガスを封入しない構成の場合、煙管内に測定対象ガスが存在しないときには、２倍周波数成分信号は理想的には直線となる。しかしながら、レンズ等の光学部品で生じるフレネル反射が多重反射し発生する光学干渉ノイズ等によって測定対象ガスが存在しない場合であっても２倍周波数成分信号は凹凸のある波形となってしまう。
【００３６】
このため、測定対象ガスが存在しない場合であっても濃度の低い測定対象ガスが存在すると判断する可能性があり、また、測定対象ガスの濃度が極低濃度である場合には、どのピーク値が測定対象ガスの濃度に応じた信号値であるのかを的確に判断することができない可能性があり、結果的に的確に濃度検出を行うことができない可能性がある。
しかしながら、発光部筐体１７及び受光部筐体２７に調整用酸素ガスを封入し、測定対象ガスが存在しない場合であっても２倍周波数成分信号の信号波形にピークが現れる構成としたため、２倍周波数成分信号において、ノイズ成分と濃度相当値とを識別しやすくすることができ、ノイズ成分を濃度相当値として誤検出することを回避し、調整用酸素ガス及び測定対象ガスの濃度に相当するピーク値を的確に検出することができる。
【００３７】
このため、このピーク値から濃度を演算し、ここから既知の調整用酸素ガスの濃度を差し引くことにより、測定対象ガスの濃度を高精度に検出することができる。
また、レーザ素子４１の温度をペルチェ素子４５によって安定化しているため、ガス吸収ピークの位置を、トリガ信号を受信した時点から、一定の待機時間が経過した位置に安定化することができる。
【００３８】
しかしながら、例えば周囲温度環境が室温から例えば摂氏１００度まで変化した場合などには、レーザ素子４１の温度の変化に伴い、温度検出素子としてのサーミスタ４４の温度が同一に変化すれば問題ないが、レーザ素子４１の温度の温度変化とサーミスタ４４の温度変化とが異なり、レーザ素子４１の温度とサーミスタ４４の温度との間に温度差が生じた場合には、レーザ素子４１の安定化が追いつかないため、２倍周波数成分信号の信号波形において、レーザ駆動信号の１周期内においてピークの現れるタイミングがずれることになる。
【００３９】
例えば、図６の場合、ピーク値が現れるタイミングが左右にずれ、すなわちトリガ信号を入力した時点を基準としたときの、ピーク値の現れるタイミングが、早まったり遅くなったりすることになる。このため、予めトリガ信号から一定時間経過した信号をピーク値として検出する構成とした場合には、誤った値をピーク値として検出してしまうことになる。
【００４０】
しかしながら、上述のように、２倍周波数成分信号において、所定の計測期間の信号値についてその信号値を順次比較すること等によりピーク値を検出している。このため、レーザ素子４１を安定化することができないことに起因してピーク値が現れるタイミングがずれた場合であっても、ピーク値は必ず存在するため、このピーク値を検索することにより、周囲温度環境の変化による影響を抑制し、的確にピーク値を検出することができる。
【００４１】
また、このように、周囲温度環境の変化による影響を抑制することができ、また、ピーク値検出にあたりノイズ分の影響を低減することができるため、ゼロ点、スパン点の設定誤差を低減することができ、結果的に、濃度検出における検出誤差を低減することができる。
また、特に、酸素ガスを測定対象ガスとしているため、発光部筐体１７及び受光部筐体２７に封入する調整用酸素ガスとして大気中の酸素ガスを用いることができる。したがって、発光部筐体１７及び受光部筐体２７に封入する調整用酸素ガスとして別途酸素ガスを用意する必要はない。
【００４２】
また、測定対象ガスがＨＣＬ等の腐食性ガスの場合には、これと同じガスを発光部筐体１７及び受光部筐体２７に封入する必要があるため、腐食により周囲に与える影響を考慮し何らかの対策を施す必要があるが、酸素ガスの場合には、周囲に何ら影響を及ぼすことがないため、単に、大気環境中でコリメートレンズ１２や集光レンズ２１を固定することで、調整用酸素ガスを発光部筐体１７受光部筐体２７内に容易に封入することができる。その際、コリメートレンズ１２や集光レンズ２１を、発光部筐体１７や受光部筐体２７に大気を気密保持するための封入部材として用いることができるため、別途封入部材を設ける必要はなく、簡易な構成で実現することができる。
【００４３】
なお、上記第１の実施の形態においては、コリメートレンズ１２及び集光レンズ２１を、発光部筐体１７及び受光部筐体２７に大気環境中で取り付けることにより、発光部筐体１７及び受光部筐体２７内に大気濃度レベルの調整用酸素ガスを封入する場合について説明したが、これに限るものではない。
例えば、発光部筐体１７及び受光部筐体２７に、調整用酸素ガスとしての空気や酸素ガスを導入するためのガス導入口及びガス排出口を別途設け、コリメートレンズ１２や集光レンズ２１を取り付けた後、ガス導入口及びガス排出口を利用して大気や酸素ガスを発光部筐体１７及び受光部筐体２７内に封入するように構成してもよい。
【００４４】
また、上記第１の実施の形態においては、発光部筐体１７及び受光部筐体２７の両方に、調整用酸素ガスを封入する場合について説明したが、これに限るものではない。
発光部筐体１７及び受光部筐体２７の何れか一方のみに調整用酸素ガスを封入することも可能であり、この場合には、煙管内に測定対象ガスが存在しない場合であっても、２倍周波数成分信号においてノイズ等をピーク値と誤検知することのない程度のピーク値を得ることのできる濃度レベルの調整用酸素ガスを封入すればよい。
【００４５】
また、上記第１の実施の形態においては、コリメートレンズ１２により発光部筐体１７内に調整用酸素ガスを気密保持する構成としたが、これに限るものではない。例えば、発光部筐体１７の開口端近傍に、透光性部材からなる密封部材を設け、この密封部材により発光部筐体１７内に、光源部１１及びコリメートレンズ１２を気密保持する構成とすることも可能であり、また光源部１１とコリメートレンズ１２との間に密封部材を設けることも可能である。
【００４６】
同様に、集光レンズ２１により受光部筐体２７内に調整用酸素ガスを気密保持する構成としたが、これに限るものではなく、例えば、受光部筐体２７の開口端近傍に、透光性部材からなる密封部材を設け、この密封部材により受光部筐体２７内に、集光レンズ２１及び光検出部２２を気密保持する構成とすることも可能であり、また集光レンズ２１と光検出部２２との間に密封部材を設けることも可能である。
また、上記実施の形態においては、高側ピーク値及び低側ピーク値の差分値に基づき濃度演算を行う場合について説明したがこれに限るものではない。例えば、高側ピーク値及び低側ピーク値の検出時点を含む予め設定した期間の２倍周波数成分信号を積分することで濃度演算を行うようにしてもよい。
【００４７】
次に、本発明の第２の実施の形態を説明する。
この第２の実施の形態は、上記第１の実施の形態において、演算処理部５５及び温度制御部４６の処理手順が異なること以外は、上記第１の実施の形態と同様であるので、同一部には同一符号を付与し、その詳細な説明は省略する。
図８は、第２の実施の形態における演算処理部５５の処理手順の一例を示すフローチャートである。
【００４８】
なお、図８において、図７に示す第１の実施の形態における演算処理部５５の処理と同一処理部分には同一符号を付与し、その詳細な説明は省略する。
まず、ステップＳ１で、波長走査駆動信号発生部４２ａからトリガ信号が入力されたか否かを判断し、トリガ信号が入力されたとき、ステップＳ１ａに移行し、フラグＦが“１”であるか否かを判定する。Ｆ＝１でなければステップＳ２に移行し、Ｆ＝１であるならば、ステップＳ２ａに移行する。なお、このフラグＦは起動時には“０”に設定されている。
【００４９】
ステップＳ２では、２倍周波数成分信号において予め設定した計測期間における高側ピーク値及び低側ピーク値を検出する。例えば、信号値を順次比較すること等によりピーク値を検索する。
一方、ステップＳ２ａでは、２倍周波数成分信号において、後述の基準時点の近傍期間における高側ピーク値及び低側ピーク値を検出する。例えば信号値を順次比較することなどによりピーク値を検索する。なお、基準時点の近傍期間は、前記計測期間内の期間であって計測期間よりも範囲の狭い期間である。
【００５０】
このようにして、ステップＳ２又はステップＳ２ａで、高側ピーク値及び低側ピーク値を検出したならば、ステップＳ３に移行し、これら高側及び低側のピーク値の差分をとることにより計測濃度を演算し、この計測濃度から既知の調整用酸素ガス濃度を減算して、測定対象の酸素ガスの濃度を演算する（ステップＳ４）。
次いで、ステップＳ１１に移行し、フラグＦが“１”であるか否かを判定し、Ｆ＝１でなればステップＳ１２に移行する。
ステップＳ１２では、ステップＳ２で検出した低側ピーク値について、トリガ信号が入力された時点を基準とする低側ピーク値が検出された時点を基準時点として記憶する。そして、フラグＦをＦ＝１に設定し、ステップＳ１に戻る。
【００５１】
一方、ステップＳ１１で、フラグＦがＦ＝１であるときにはステップＳ１３に移行し、ステップＳ２で検出した低側ピーク値の、トリガ信号が入力された時点を基準とする検出時点と、ステップＳ１２の処理で記憶した基準時点とのずれを算出する。
次いでステップＳ１４に移行し、低側ピーク値の検出時点が基準時点と一致するようにレーザ素子４１の温度を調整するための温度補正値を、ステップＳ１３で算出したずれ分に基づき演算する。そして、演算した温度補正値を温度制御部４６に出力し、ステップＳ１に戻る。
【００５２】
一方、温度制御部４６では、図９に示すように、まずステップＳ２１で、レーザ素子４１の温度を予め設定した基準温度にし得る温度基準値を、ペルチェ素子４４の制御目標値として設定する。
次いで、ステップＳ２２に移行し、演算処理部５５から温度補正値を入力する。そして、制御目標値に温度補正値を加算し、これを新たな制御目標値とする。そして、ステップＳ２４に移行し、制御目標値に応じた駆動電流をペルチェ素子４４に供給する。そして、ステップＳ２２に戻る。
【００５３】
以上の処理を行うことにより、起動後最初に検出された低側ピーク値の検出時点が基準時点として設定され、以後、低側ピーク値の検出時点と、基準時点とのずれ分が温度補正値として設定され、この温度補正値により制御目標値を更新されて、更新した制御目標値に応じて、レーザ素子４１の温度制御が行われることになる。したがって、結果的に、低側ピーク値の検出時点が、基準時点と一致するようにレーザ素子４１の温度調整が行われることになる。
【００５４】
つまり、図１０に示すように、基準時点をｔｘとしたとき、ある時点の２倍周波数成分信号の波形Ｌ２′において低側ピーク値が生じたタイミングがｔ１であって、基準時点ｔｘとずれている場合には、低側ピーク値が生じるタイミングｔ１が基準時点ｔｘと一致するように、タイミングｔ１と基準時点ｔｘとの差分に応じた温度補正値が算出され、これが温度制御部４６に出力される。
【００５５】
このため、温度制御部４６では、温度目標値に温度補正値を加算して温度目標値を更新し、更新した温度目標値となるようにペルチェ素子４４を制御する。これにより、レーザ素子４１の温度が変化し、これに伴いレーザ素子４１が出射するレーザ光の波長が変化する。このため、図１０において、低側ピーク値が生じるタイミングがｔｘに近づくように制御され、すなわち、低側ピーク値が基準時点ｔｘのタイミングが生じるように制御されることになる。
【００５６】
そして、低側ピーク値が基準時点ｔｘのタイミングで生じるように制御されることに伴い、高側ピーク値も一定の時点で生じることになる。したがって、低側ピーク値及び高側ピーク値共に、温度環境の変化に関わらず、一定の時点で生じるように制御されることになって、温度環境の変化に関わらず、トリガ信号を入力した時点から、一定時間経過した時点で、高側ピーク値及び低側ピーク値が現れることになる。
【００５７】
このように、周囲温度環境の変化に関わらず、低側ピーク値の検出時点を、基準時点に安定化させることができる。このため、図８のステップＳ２又はステップＳ２ａの処理で低側ピーク値を検出する際には、基準時点が決定されるまでは２倍周波数成分信号において計測期間内の信号値についてピーク値を検出するが、基準時点が決定された後は、この基準時点と低側ピーク値とが一致するように制御が行われるため、温度環境の変化が生じたとしても、低側ピーク値は基準時点近傍に現れることになる。
【００５８】
このため、低側ピーク値の検出の際には、計測期間内の信号値全てについてピーク値の検索を行う必要はなく、計測期間よりも期間の短い基準時点の近傍期間において、信号値を検索すればよいため、その分ピーク値検索に要する処理負荷を削減することができる。
なお、上記第２の実施の形態においては、低側ピーク値に基づき基準時点を設定した場合について説明したが、これに限らず、高側ピーク値に基づき基準時点を設定することも可能である。
また、基準時点として、起動時の低側ピーク値の検出時点を設定する場合について説明したが、予め設定した、時点を基準時点として設定し、低側ピーク値が常に一定の基準時点に一致するように構成することも可能である。
【００５９】
また、上記第２の実施の形態においては、トリガ信号を入力する毎に、低側ピークの検出時点と基準時点との差分を検出し、低側ピークの検出時点と基準時点とが一致するように温度調整部４６の制御目標値を更新する場合について説明したが、これに限るものではない。
例えば、低側ピークの検出時点と基準時点との差分が予め設定したしきい値よりも大きくなり、低側ピーク値が基準時点の近傍期間内に現れなくなると予測される時点で、温度調整部４６の制御目標値を更新するようにしてもよく、また、予め設定した所定周期で温制御目標値の更新を行うようにしてもよい。
【００６０】
ここで、上記実施の形態において、コリメートレンズ１２が第１の光学系及び透光性部材に対応し、集光レンズ２１が第２の光学系及び透光部材に対応し、光検出部２２が受光素子に対応し、信号処理部２３が信号処理手段に対応し、サーミスタ４４、ペルチェ素子４５及び温度制御部４６が温度安定化手段に対応し、同期検波回路５３が２倍周波数成分信号検出手段に対応している。
また、図７のステップＳ２の処理、また、図８のステップＳ２及びステップＳ２の処理がピーク値検索手段に対応し、図７及び図８のステップＳ３の処理が濃度演算手段に対応し、図７及び図８のステップＳ４の処理が酸素ガス濃度演算手段に対応している。
【図面の簡単な説明】
【００６１】
【図１】本発明の一実施形態に係るレーザ式ガス分析計の概略構成を示す図である。
【図２】発光部の構成を示すブロック図である。
【図３】酸素ガスの吸収スペクトル例である。
【図４】レーザ素子の走査波形、トリガ信号と、酸素ガスの吸光特性との対応を表す図である。
【図５】受光部の構成を示すブロック図である。
【図６】第１の実施の形態の動作説明に供する２倍周波数成分信号の波形図である。
【図７】第１の実施の形態における、演算処理部の濃度演算に伴う演算処理の処理手順の一例を示すフローチャートである。
【図８】第２の実施の形態における、演算処理部の濃度演算に伴う演算処理の処理手順の一例を示すフローチャートである。
【図９】第２の実施の形態における、温度調整部の制御処理の処理手順の一例を示すフローチャートである。
【図１０】第２の実施の形態の動作説明に供する２倍周波数成分信号の波形図である。
【図１１】ＮＨ3ガスの吸収スペクトルの一例である。
【図１２】周波数変調方式の原理図である。
【図１３】（ａ）は半導体レーザの発光波長とドライブ電流との関係を示す図、（ｂ）は半導体レーザの発光波長と温度との関係を示す図である。
【符号の説明】
【００６２】
１  発光部
２  受光部
１１  光源部
１２  コリメートレンズ
１７  発光部筐体
２１  集光レンズ
２２  光検出部
２３  信号処理部
２７  受光部筐体
４１  レーザ素子
４２ａ  波長走査駆動信号発生部
４２ｂ  高調波変調信号発生部
４２ｃ  合成部
４４  サーミスタ
４５  ペルチェ素子
４６  温度制御部
５３  同期検波回路
５５  演算処理部
【図１】
2010032422.tif 000003
【図２】
2010032422.tif 000004
【図３】
2010032422.tif 000005
【図４】
2010032422.tif 000006
【図５】
2010032422.tif 000007
【図６】
2010032422.tif 000008
【図７】
2010032422.tif 000009
【図８】
2010032422.tif 000010
【図９】
2010032422.tif 000011
【図１０】
2010032422.tif 000012
【図１１】
2010032422.tif 000013
【図１２】
2010032422.tif 000014
【図１３】
2010032422.tif 000015